(57)【要約】【課題】簡易な構成で、絶縁ハウジングの破損等を良好に防止することを可能とする。【解決手段】相手コネクタ２０の嵌合によって、第２コンタクト１３から非接触となって相手コネクタ２０と接触する第１コンタクト１２に、第２コンタクト１３を両側から挟むように接触し又は非接触となる一対の弾性腕部１２ｂ３，１２ｂ３を設け、それら一対の弾性腕部１２ｂ３，１２ｂ３に設けた第１接触部１２ｂ４が、相手コネクタ２０の嵌合時に第２コンタクト１３との電気的な接触状態から非接触状態に移行するとともに、第２接触部１２ｂ５が相手コネクタ２０に接触され、第１コンタクト１２に生じている応力同士を互いに打ち消し合うように作用させて絶縁ハウジング１１の変形又はクラック等の破損を生じるおそれを防止する一方、相手コネクタ２０を両側から第１コンタクト１２で挟むことで、電気的な接触信頼性が高められるように構成したものである。【選択図】図１４
2015207376.tif 000002
【特許請求の範囲】
【請求項１】
絶縁ハウジングに取り付けられた第１コンタクトと第２コンタクトとが電気的に接触した状態から、相手コネクタが嵌合された際に前記第１コンタクトが弾性変位することによって、前記第１コンタクトが前記第２コンタクトから電気的に非接触状態に移行すると同時に、前記第１コンタクトが前記相手コネクタと電気的に接触するように構成されたスイッチ付同軸コネクタにおいて、
前記第１コンタクトは、前記相手コネクタの嵌合方向と直交する平面内において前記第２コンタクトを両側から挟むように弾性変位することによって前記第２コンタクトに対して弾性的に接触し又は非接触となる一対の弾性腕部を備え、
前記一対の弾性腕部には、前記相手コネクタの非嵌合時に前記第２コンタクトと電気的に接触した状態にあり且つ前記相手コネクタの嵌合時には前記第２コンタクトと電気的に非接触となる第１接触部と、前記相手コネクタの非嵌合時に互いに電気的に非接触の状態にあり且つ前記相手コネクタの嵌合時には当該相手コネクタに対して電気的に接触する状態となる第２接触部と、が設けられていることを特徴とするスイッチ付同軸コネクタ。
【請求項２】
前記第１コンタクトの各弾性腕部が、前記絶縁ハウジングに固定された固定基部から片持ち状に延出する可動ビーム状部材の一部をなすように形成されたものであって、
前記第１接触部が、前記弾性腕部の延出方向における先端部分に形成されているとともに、
前記第２接触部が、前記弾性腕部の延出方向において前記固定基部と前記第１接触部との間に形成されていることを特徴とする請求項１記載のスイッチ付同軸コネクタ。
【請求項３】
前記固定基部には、前記絶縁ハウジングに対して前記第１コンタクトを保持する固定延設片が連設されているとともに、
前記固定基部からは、印刷配線基板に対する基板接続部が一体的に延出していることを特徴とする請求項２記載のスイッチ付同軸コネクタ。
【請求項４】
前記弾性腕部を有する可動ビーム状部材が、湾曲状に反転するように延出する反転折返し部を介して前記固定基部に連設され、
前記反転折返し部が、前記相手コネクタの嵌合方向において前記固定基部と重なり合うように配置されていることを特徴とする請求項２記載のスイッチ付同軸コネクタ。
【請求項５】
前記第１コンタクトの各第２接触部は、前記相手コネクタに対して複数個所で接触可能に形成されていることを特徴とするスイッチ付同軸コネクタ。
【請求項６】
前記第２コンタクトは、前記絶縁ハウジングに固定された固定基部の先端部分に、前記第１コンタクトの第１接触部に対する接触部が設けられていること特徴とする請求項１記載のスイッチ付同軸コネクタ。
【発明の詳細な説明】
【技術分野】
【０００１】
本発明は、相手コネクタが嵌合されることで一対のコンタクト同士が電気的に非接触状態に移行すると同時に、一方のコンタクトが相手コネクタと電気的に接触されるように構成されたスイッチ付同軸コネクタに関する。
【背景技術】
【０００２】
一般に、スマートフォンやタブレット型パソコンなどのような各種電子機器又は電気機器において、機器内に設けられた高周波回路等の各種電子回路の状態や性能を検査するための小型回路検査スイッチなどとしてスイッチ付同軸コネクタが採用されている。このスイッチ付同軸コネクタは、機器本体の電子回路を分断するように回路基板上に実装された状態で使用され、絶縁ハウジングに取り付けられた可動及び固定の一対のコンタクトの各々が、機器本体に設けられた電子回路の一方側及び他方側にそれぞれ接続される一方、それら可動及び固定の一対のコンタクト同士が、自身が有する弾性力によって互いに電気的に接触した状態に維持される。
【０００３】
そして、そのようなスイッチ付同軸コネクタに対しては、相手コネクタとして、例えば検査用プラグコネクタのプローブ（検査針）の先端部分が上方側から挿入されるが、その検査用プラグコネクタのプローブ（検査針）の先端部分は、可動側のコンタクトの自由端部分に上方側から圧接し、それによって当該可動コンタクトが揺動して固定側のコンタクトから離間して本来の電子回路が分断される。また、プローブが可動コンタクトに接触することによって、機器本体の電子回路にプローブが導通状態となり、当該プローブを通して、電子回路からの電気信号が外部に取り出され、その外部取り出し信号を用いて、例えば適宜の検査が実行されるようになっている。
【０００４】
ところが、このような従来のスイッチ付同軸コネクタにおいては、絶縁ハウジングに取り付けられた一対のコンタクトのうちの一方が、他方のコンタクトに対して弾性的に常時圧接された状態に維持されており、それら一対のコンタクト同士が圧接状態に維持される際の反力が、絶縁ハウジングに対する定常的な負荷（プリロード）となっている。また、そのような定常的な負荷（プリロード）に加えて、相手コネクタによる押圧力が、コンタクトを通して絶縁ハウジングに付加されるため、絶縁ハウジングに大きな応力が発生して破損等に至るおそれがある。
【先行技術文献】
【特許文献】
【０００５】
【特許文献１】特開２００３−１２３９１５号公報
【特許文献２】特開２００６−４９２７６号公報
【発明の概要】
【発明が解決しようとする課題】
【０００６】
そこで本発明は、簡易な構成で、絶縁ハウジングの破損等を良好に防止することができるようにしたスイッチ付同軸コネクタを提供することを目的とする。
【課題を解決するための手段】
【０００７】
上記目的を達成するため本発明では、絶縁ハウジングに取り付けられた第１コンタクトと第２コンタクトとが電気的に接触した状態から、相手コネクタが嵌合された際に前記第１コンタクトが弾性変位することによって、前記第１コンタクトが前記第２コンタクトから電気的に非接触状態に移行すると同時に、前記第１コンタクトが前記相手コネクタと電気的に接触するように構成されたスイッチ付同軸コネクタにおいて、前記第１コンタクトは、前記相手コネクタの嵌合方向と直交する平面内において前記第２コンタクトを両側から挟むように弾性変位することによって前記第２コンタクトに対して弾性的に接触し又は非接触となる一対の弾性腕部を備え、前記一対の弾性腕部には、前記相手コネクタの非嵌合時に前記第２コンタクトと電気的に接触した状態にあり且つ前記相手コネクタの嵌合時には前記第２コンタクトと電気的に非接触となる第１接触部と、前記相手コネクタの非嵌合時に互いに電気的に非接触の状態にあり且つ前記相手コネクタの嵌合時には当該相手コネクタに対して電気的に接触する状態となる第２接触部と、が設けられた構成が採用されている。
【０００８】
このような構成を有するスイッチ付同軸コネクタによれば、第１コンタクトを構成する一対の弾性腕部に設けられた両第１接触部同士が、相手コネクタの非嵌合時に第２コンタクトを挟んで対面するように接触することから、両弾性腕部に生じている応力同士が互いに打ち消し合うように作用し、従来のような絶縁ハウジングに対する定常的な負荷（プリロード）がほとんど発生しなくなる。また、相手コネクタが嵌合された際においては、当該相手コネクタの嵌合力によって両コンタクト同士の接触部分が、嵌合方向と直交する平面内において両側に押し広げられるように弾性変位が行われる。その結果、両コンタクトが、相手コネクタの嵌合力を直接的に受けることがなくなり、両コンタクト同士を比較的小さな力で非接触状態にさせることが可能となる。従って、両コンタクト同士の接触及び相手コネクタの嵌合に伴う応力や反力による絶縁ハウジングの変形又はクラック等の破損を生じるおそれが防止される。
【０００９】
さらに、相手コネクタを両側から第１コンタクトで挟むようにして電気的な接触が行われるため、外部からの衝撃や振動が付加された場合であっても、第２コンタクト及び相手コネクタに対する第１コンタクトの電気的な接触信頼性が高められる。
【００１０】
また、本発明においては、前記第１コンタクトの各弾性腕部が、前記絶縁ハウジングに固定された固定基部から片持ち状に延出する可動ビーム状部材の一部をなすように形成されたものであって、前記第１接触部が、前記弾性腕部の延出方向における先端部分に形成されているとともに、前記第２接触部が、前記弾性腕部の延出方向において前記固定基部と前記第１接触部との間に形成されている構成を採用することが可能である。
【００１１】
さらに、本発明における前記固定基部には、前記絶縁ハウジングに対して前記第１コンタクトを保持する固定延設片が連設されているとともに、前記固定基部からは、印刷配線基板に対する基板接続部が一体的に延出する構成を採用することが可能である。
【００１２】
さらにまた、本発明においては、前記弾性腕部を有する可動ビーム状部材が、湾曲状に反転するように延出する反転折返し部を介して前記固定基部に連設され、前記反転折返し部が、前記相手コネクタの嵌合方向において前記固定基部と重なり合うように配置されていることが望ましい。
【００１３】
このような構成を有するスイッチ付同軸コネクタによれば、反転折返し部が有する弾性によって、弾性腕部が、相手コネクタの嵌合方向において弾性変位可能な状態となり、その反転折返し部を中心として弾性腕部が、相手コネクタの嵌合方向に弾性変位することによって、当該弾性腕部の第１接触部と第２コンタクトとの間が擦れ合ことによる、いわゆるワイピング作用が得られ、接触領域が清浄に維持される。
【００１４】
また、本発明における前記第１コンタクトの各第２接触部は、前記相手コネクタに対して複数個所で接触可能に形成されていることが望ましい。
【００１５】
このような構成を有するスイッチ付同軸コネクタによれば、第１コンタクトの第２接触部と相手コネクタとの間における電気的な接触信頼性が向上される。
【００１６】
また、本発明における前記第２コンタクトは、前記絶縁ハウジングに固定された固定基部の先端部分に、前記第１コンタクトの第１接触部に対する接触部が設けられていることが可能である。
【発明の効果】
【００１７】
以上述べたように本発明にかかるスイッチ付同軸コネクタは、相手コネクタの嵌合によって、第２コンタクトから電気的に非接触となり且つ相手コネクタと電気的に接触するように弾性変位する第１コンタクトに、相手コネクタの嵌合方向と直交する平面内において第２コンタクトを両側から挟むように弾性変位して接触し又は非接触となる一対の弾性腕部を設け、それら一対の弾性腕部に設けた第１接触部が、相手コネクタの嵌合時に第２コンタクトとの電気的な接触状態から非接触状態に移行するとともに、一対の弾性腕部に設けた第２接触部が、嵌合された相手コネクタに対して電気的に接触されることによって、第１コンタクトを構成する一対の弾性腕部に生じている応力同士を互いに打ち消し合うように作用させて絶縁ハウジングに対する定常的な負荷（プリロード）を大幅に低減するとともに、相手コネクタの嵌合力を両コンタクトが直接的に受けることをなくすことで、絶縁ハウジングの変形又はクラック等の破損を生じるおそれを防止する一方、相手コネクタを両側から第１コンタクトで挟むようにして電気的な接触を行わせ、外部からの衝撃や振動が付加された場合であっても、第２コンタクト及び相手コネクタに対する第１コンタクトの電気的な接触信頼性が高められるように構成したものであるから、簡易な構成で、絶縁ハウジングの破損等を良好に防止することができ、スイッチ付同軸コネクタの信頼性を安価かつ大幅に高めることができる。
【図面の簡単な説明】
【００１８】
【図１】本発明の一実施形態にかかる回路検査スイッチを構成しているスイッチ付同軸コネクタの全体構造を正面上方側から見たときの外観斜視説明図である。
【図２】図１に示された本発明の一実施形態にかかるスイッチ付同軸コネクタの平面説明図である。
【図３】図１及び図２に示された本発明の一実施形態にかかるスイッチ付同軸コネクタにおける図２中のIII−III線に沿った縦断面説明図である。
【図４】図１及び図２に示された本発明の一実施形態にかかるスイッチ付同軸コネクタにおける図２中のIV−IV線に沿った横断面説明図である。
【図５】図１乃至図４に示された本発明の一実施形態にかかるスイッチ付同軸コネクタに用いられているコンタクト対の初期状態を正面上方側から見たときの外観斜視説明図である。
【図６】図５に示された初期状態におけるコンタクト対の平面説明図である。
【図７】図５に示された初期状態におけるコンタクト対の側面説明図である。
【図８】図５に示された初期状態におけるコンタクト対の正面説明図である。
【図９】図５に示された初期状態におけるコンタクト対の背面説明図である。
【図１０】図５に示された初期状態におけるコンタクト対の一方を構成する第１コンタクトの初期状態を正面上方側から見たときの外観斜視説明図である。
【図１１】図５に示されたコンタクト対の他方を構成する第２コンタクトの初期状態を正面上方側から見たときの外観斜視説明図である。
【図１２】図１の状態から相手コネクタ（検査用プラグコネクタ）が下方に挿入されて嵌合された状態を正面上方側から見たときの外観斜視説明図である。
【図１３】本発明の一実施形態にかかるスイッチ付同軸コネクタに用いられているコンタクト対の弾性変位状態を正面上方側から見たときの外観斜視説明図である。
【図１４】図１３に示された弾性変位状態にあるコンタクト対の平面説明図である。
【図１５】図１３に示された弾性変位状態にあるコンタクト対の側面説明図である。
【発明を実施するための形態】
【００１９】
以下、本発明にかかるスイッチ付同軸コネクタを回路検査スイッチとして採用した実施形態を図面に基づいて詳細に説明する。
【００２０】
［回路検査スイッチの全体構造について］
まず、図１〜図４に示された本発明の第１の実施形態にかかるスイッチ付同軸コネクタ１０は、図示を省略した配線基板上に実装され使用されるものであって、当該スイッチ付同軸コネクタ１０に対して、図１２に示されているように、相手コネクタとしての検査用プラグコネクタ（相手コネクタ）２０が、上方側から嵌合され又は上方側に向かって抜去される構成になされている。その検査用プラグコネクタ（相手コネクタ）２０は、作業者の手で把持されてスイッチ付同軸コネクタ１０の上方側に配置され、その後に下方側のスイッチ付同軸コネクタ１０に向かって適宜の力で押し込まれ、それによって両コネクタ１０，２０同士が嵌合された装着状態になされる。また、その両コネクタ１０，２０同士の装着状態から、検査用プラグコネクタ（相手コネクタ）２０を把持して上方側に適宜の力で引き上げれば、当該検査用プラグコネクタ（相手コネクタ）２０がスイッチ付同軸コネクタ１０から上方に離脱して抜出が行われる。
【００２１】
なお、検査用プラグコネクタ（相手コネクタ）２０は、作業者の手で挿抜されることに限らず、機械によって自動的に挿抜されてもよい。以下において、検査用プラグコネクタ（相手コネクタ）２０の挿入方向及び抜出方向を、それぞれ「下方向」及び「上方向」とする。
【００２２】
このような回路検査スイッチ装置を構成しているスイッチ付同軸コネクタ１０は、例えば、スマートフォンやタブレット型パソコン等の電子機器又は装置の電子回路基板（図示省略）上に、半田付け等により実装されて使用され、その電子機器又は装置に設けられた電子回路を、機器本体側と他の部位側とで分断又は接続するように配置される。
【００２３】
［絶縁ハウジングについて］
上述したスイッチ付同軸コネクタ１０の本体部を構成している絶縁ハウジング１１は、プラスチック等の樹脂材を用いて例えばモールド成形されたものであって、平面略矩形状の板状部材からなるベース枠体部１１ａと、そのベース枠体部１１ａの上面中央部分に配置された挿入ガイド部１１ｂとを一体的に有している。
【００２４】
挿入ガイド部１１ｂは、上述したベース枠体部１１ａの上側表面から略円筒状をなして上方に立ち上がるように形成されている。この挿入ガイド部１１ｂの内周側表面は、略すり鉢形状をなすように形成されており、当該挿入ガイド部１１ｂの上端縁部分に形成された円環状外周縁部から、中心部分に相手挿入穴として設けられたプローブ挿入穴１１ｃの上面側開口部に向かって斜め下方に延在する傾斜ガイド面１１ｄが形成されている。この傾斜ガイド面１１ｄは、前述した検査用プラグコネクタ（相手コネクタ）２０に設けられたプローブ２０ａを、プローブ挿入穴１１ｃに向かって案内する機能を有するものであって、挿入される検査用プラグコネクタ（相手コネクタ）２０のプローブ２０ａが、プローブ挿入穴１１ｃの真上に配置されていない場合であっても、傾斜ガイド面１１ｄの傾斜面上にプローブの先端部が当接されれば、プローブ２０ａの先端部が傾斜ガイド面１１ｄに沿って下方に滑り落ちるように移動され、プローブ挿入穴１１ｃに向かって円滑に案内されるようになっている。
【００２５】
相手挿入穴として設けられたプローブ挿入穴１１ｃは、検査用プラグコネクタ（相手コネクタ）２０のプローブ２０ａを挿入可能とする内径を有する平面略円形状の中空通路から形成されており、当該プローブ挿入穴１１ｃの上面側開口部の周囲に、上述した挿入ガイド部１１ｂが略同心状をなすように配置されている。このプローブ挿入穴１１ｃは、上述したように挿入ガイド部１１ｂの上端開口部からベース枠体部１１ａの中心軸に沿って下方に延出しており、絶縁ハウジング１１の正面と背面との間を略水平に貫通するように設けられたコンタクト挿入通路１１ｅに対して、上方側から開口することで連通状態になされている。このプローブ挿入穴１１ｃは、後述する第１コンタクト１２の上方位置に配置されている。
【００２６】
［コンタクトについて］
一方、上述した絶縁ハウジング１１のベース枠体部１１ａに設けられたコンタクト挿入通路１１ｅの内部には、信号伝送用の第１コンタクト１２及び第２コンタクト１３が、検査用プラグコネクタ（相手コネクタ）２０の挿入・抜去の方向（上下方向）に対して略直交する水平方向に、互いに対向するように挿入されて取り付けられている。これらの第１コンタクト１２及び第２コンタクト１３同士が対向する方向を、以下において「コンタクト対向方向」と呼び、また各コンタクト１２，１３の個々において、相手側に向かう方向を「前方」、その反対方向を「後方」とする。さらに、その「コンタクト対向方向」及び「前後方向」の双方に直交する方向を「左右方向」と呼ぶ。
【００２７】
第１コンタクト１２及び第２コンタクト１３は、図５〜図１１にも示されているように、いわゆるコンタクト対を構成するものであって、絶縁ハウジング１１の正面・背面の両端面からコンタクト挿入通路１１ｅの内部に対面するようにして挿入され、可動構成になされた第１コンタクト１２が、固定構成になされた第２コンタクト１３に対して弾性的に接触した状態となるように絶縁ハウジング１１に取り付けられている。これらの第１及び第２のコンタクト１２，１３同士の接触状態は、後述するように、相手コネクタとしての検査用プラグコネクタ（相手コネクタ）２０が嵌合されることで解除され離間状態になされる。
【００２８】
［第１コンタクトについて］
そのうちの第１コンタクト１２は、コンタクト挿入通路１１ｅに沿って延在するように折曲げ加工された金属部材から形成されており、絶縁ハウジング１１に固定された固定基部１２ａから、第２コンタクト１３側の前方に向かって可動ビーム状部材１２ｂが延出する構成になされている。固定基部１２ａは、印刷配線基板に対して略水平に延在する平板状部材から形成されており、その固定基部１２ａにおける左右方向（幅方向）の両側から略水平に張り出すようにして一体的に連設された一対の固定延設片１２ａ１，１２ａ１が、絶縁ハウジング１１の壁面に溝状をなすように凹設された固定溝部に圧入されることにより固定状態になされている。そして、これらの固定延設片１２ａ１，１２ａ１による絶縁ハウジング１１に対する係合力によって、第１コンタクト１２全体の支持が行われている。
【００２９】
固定基部１２ａに設けられた固定延設片１２ａ１，１２ａ１は、上述したように固定基部１２ａの左右方向両側において可動ビーム状部材１２ｂの長手方向である前後方向に延出するように形成されていることから、検査用プラグコネクタ（相手コネクタ）２０の挿入・抜去の方向（上下方向）に対する当該固定延設片１２ａ１，１２ａ１の固定力が増大されている。そして、このように固定基部１２ａが強固に支持されることによって、可動ビーム状部材１２ｂの支持力が高められて安定的な保持性が得られ、後述のように可動ビーム状部材１２ｂの先端縁部分に設けられた接点部の機能が良好に維持されるようになっている。
【００３０】
また、上述した固定基部１２ａの前方側の端縁部からは、印刷配線基板に接続される基板接続部１２ｃが、下方に向かって湾曲面状をなすように一体的に延出している。その基板接続部１２ｃは、後方側に向かって側面略円弧形状をなすように折り返された形状になされており、折り返された後に略水平に延在する平板状部分が、印刷配線基板上の導電路（図示省略）に対して半田接合されるようになっている。
【００３１】
さらに、固定基部１２ａの後方側の端縁部には、上述した可動ビーム状部材１２ｂが、上方に向かって湾曲面状をなすように立ち上がる反転折返し部１２ｂ１を介して片持ち状をなすように一体的に連接されている。このときの反転折返し部１２ｂ１は、前方側に向かって側面略円弧形状をなすように折り返されており、その反転折返し部１２ｂ１が前方に折り返した後からさらに平板状のビーム支持部１２ｂ２が、前方側に向かって略水平に延出している。このビーム支持部１２ｂ２は、片持ち状をなす可動ビーム状部材１２ｂの根本部分を構成しており、印刷配線基板と略平行な水平面に沿って延在するように配置されているが、検査用プラグコネクタ（相手コネクタ）２０の嵌合方向である上下方向において、上述した固定基部１２ａに対して、上方側の位置に重なり合うように配置されている。
【００３２】
このようなビーム支持部１２ｂ２の左右方向（幅方向）における両側部分からは、前方の第２コンタクト１３に向かって一対の弾性腕部１２ｂ３，１２ｂ３が片持ち状をなすように延出している。これらの両弾性腕部１２ｂ３，１２ｂ３は、略水平に延在する細長の帯板状部材から形成されており、板幅方向を上下方向に立てた状態で、プローブ挿入穴１１ｃを径方向に挟んだ両側部分に、略対称的な形状をなして互いに対面するように延在している。そして、後述する第２コンタクト１３の前端部分を、左右方向の両側から挟むようにして水平面内において弾性変位することで、第２コンタクト１３に対して弾性的に接触し又は離間する構成になされている。
【００３３】
これら一対の弾性腕部１２ｂ３，１２ｂ３は、上述したビーム支持部１２ｂ２から略平行に延出した後に、プローブ挿入穴１１ｃが設けられた中心領域において互いに近付くように折り曲げ形成されており、当該両弾性腕部１２ｂ３，１２ｂ３同士が互いに近付いた中央領域から再び略平行な状態となって前方側に延出し、その延出側の先端部分（自由端部分）が、第２コンタクト１３まで達するように配置されている。
【００３４】
そして、上述したように一対の弾性腕部１２ｂ３，１２ｂ３同士が互いに近付いて略平行に延出している中央領域においては、プローブ挿入穴１１ｃの外周部分の下方を弾性腕部１２ｂ３，１２ｂ３が通過するように配置されており、特に図１２〜図１５に示されているように、プローブ挿入穴１１ｃを通して挿入された検査用プラグコネクタ（相手コネクタ）２０のプローブ２０ａが、一対の弾性腕部１２ｂ３，１２ｂ３同士の間部分に、上下方向に挿通される構成になされている。
【００３５】
このようにして検査用プラグコネクタ（相手コネクタ）２０のプローブ２０ａが、一対の弾性腕部１２ｂ３，１２ｂ３同士の間部分に挿通される前の初期状態において、前記両弾性腕部１２ｂ３，１２ｂ３同士の間に形成される距離は、検査用プラグコネクタ（相手コネクタ）２０のプローブ２０ａの外径よりもやや小さくなるように設定されている。このような狭い間隔に設定された一対の弾性腕部１２ｂ３，１２ｂ３同士の間部分に、検査用プラグコネクタ（相手コネクタ）２０のプローブ２０ａが挿通されることで、それら一対の弾性腕部１２ｂ３，１２ｂ３同士の間部分が押し広げられるように弾性変位が行われる構成になされている。
【００３６】
また、各弾性腕部１２ｂ３の前方側部分を構成している自由端部分には、突状をなす接点部からなる第１接触部１２ｂ４がそれぞれ形成されている。これらの各第１接触部１２ｂ４は、初期状態、すなわち検査用プラグコネクタ（相手コネクタ）２０の非嵌合時において、弾性腕部１２ｂ３自身が有する弾性力によって第２コンタクト１３と電気的に接触した状態に維持されている。一方、検査用プラグコネクタ（相手コネクタ）２０が嵌合された際には、上述したように一対の弾性腕部１２ｂ３，１２ｂ３同士が、互いに離間する方向に弾性変位が行われ、それによって、各弾性腕部１２ｂ３に設けられた第１接触部１２ｂ４が、第２コンタクト１３から離間して電気的に非接触の状態に移行する構成になされている。
【００３７】
さらに、上述したように一対の弾性腕部１２ｂ３，１２ｂ３同士が互いに近付いた中央領域、つまり検査用プラグコネクタ（相手コネクタ）２０のプローブ２０ａが挿通される領域においては、当該検査用プラグコネクタ（相手コネクタ）２０のプローブ２０ａに接触する第２接触部１２ｂ５が、それぞれ設けられている。これらの各第２接触部１２ｂ５は、弾性腕部１２ｂ３に、平面略円弧状をなすように設けられた凹部の前後方向におけるエッジ部分により形成されており、片側の弾性腕部１２ｂ３に対して２箇所ずつ、合計４箇所の第２接触部１２ｂ５が設けられている。
【００３８】
そして、初期状態である検査用プラグコネクタ（相手コネクタ）２０の非嵌合時においては、両弾性腕部１２ｂ３，１２ｂ３に設けられた第２接触部１２ｂ５同士が、互いに電気的に非接触の状態となるように離間されている。一方、検査用プラグコネクタ（相手コネクタ）２０の嵌合時、すなわち弾性腕部１２ｂ３，１２ｂ３同士の間に検査用プラグコネクタ（相手コネクタ）２０のプローブ２０ａが挿入された際にあっては、当該プローブ２０ａの外周面に対して、第２接触部１２ｂ５が、弾性腕部１２ｂ３の弾性力によって電気的に接触する状態に維持される。
【００３９】
［第２コンタクトについて］
上述したような第１コンタクト１２に対して、第２コンタクト１３は、第１コンタクト１２の反対側部分からコンタクト挿入通路１１ｅ内に挿入されており、当該第２コンタクト１２の全体が不動状態に固定される構成になされている。より具体的には、絶縁ハウジング１１に係止されている固定基部１３ａの後方側の端縁部からは、印刷配線基板に接続される基板接続部１３ｂが、反転折返し部１３ｃを介して前方側に向かって一体的に延出しているとともに、固定基部１３ａにおける前方側の端縁部からは、固定ビーム状部材１３ｄが前方側に向かって一体的に延出している。これらの基板接続部１３ｂ及び固定ビーム状部材１３ｄは、片持ち状をなすようにして延出する構成になされている。
【００４０】
そのうちの固定基部１３ａは、略水平に延在する板状部材から形成されており、当該固定基部１３ａの左右方向における両側縁部、すなわちコンタクト対向方向と直交する板幅方向の両端部に、絶縁ハウジング１１に対して圧入固定される固定延設片１３ａ１，１３ａ１が、両側外方に向かって略水平に延出するように設けられている。それらの各固定延設片１３ａ１は、固定基部１３ａの両側外方において、前後方向に略水平に突出するように形成されており、絶縁ハウジング１１の壁面に溝状をなすように凹設された固定溝部に圧入されることにより固定状態になされている。そして、これらの各固定延設片１３ａ１による絶縁ハウジング１１に対する係合力で、第２コンタクト１３全体の保持が行われている。
【００４１】
固定基部１３ａに設けられた固定延設片１３ａ１，１３ａ１は、上述したように固定基部１３ａの両側において固定ビーム状部材１３ｄの長手方向である前後方向に延出するように形成されていることから、固定ビーム状部材１３ｄに対する上下方向の付加力に対する当該固定延設片１３ａ１，１３ａ１の固定力が増大される構造になされている。このように固定基部１３ａが強固に支持されることで、固定ビーム状部材１３ｄの支持力が高められて安定的な保持性が得られ、後述のように固定ビーム状部材１３ｄの先端縁部分に設けられた接点部の機能が良好に維持される。
【００４２】
基板接続部１３ｂの反転折返し部１３ｃは、当該基板接続部１３ｂの根本部分を構成するものであるが、上述した固定基部１３ａの後端縁部から下方側に向かって立ち下がるように湾曲して延びる帯板状部材から形成されており、基板接続部１３ｂの延出方向を反転させるように前方側に向かって折り返されている。すなわち、その反転折返し部１３ｃの下端側部分は、前方側に向かって略水平に延出しており、当該反転折返し部１３ｃの下方側部分の前端縁から、基板接続部１３ｂが前方側に向かって片持ち状をなして一体的に延出し、当該基板接続部１３ｂが、電気コネクタ１０の実装時に、印刷配線基板上に形成された導電路に対して半田部材により接合される。
【００４３】
［固定ビーム状部材について］
また、第２コンタクト１３の固定ビーム状部材１３ｄは、上述した固定基部１３ａの前端縁部から、相手側の第１コンタクト１２に向かって直接的に延出する構成になされており、当該固定ビーム状部材１３ｄの全体が、所定の剛性を有する固定部材になされている。この固定ビーム状部材１３ｄが前方側に向かって延出している先端部分には、第１コンタクト１２に対する接触部１３ｅが設けられている。この接触部１３ｅは、固定ビーム状部材１３ｄの先端部分において左右方向に対向するように形成された一対の板状部材にそれぞれ形成されている。これらの接触部１３ｅを有する一対の板状部材は、固定ビーム状部材１３ｄの先端部分の左右方向における両側縁部から、下方に向かって垂れ下がるように延出している。
【００４４】
これら第２コンタクト１３の接触部１３ｅに対しては、前述した第１コンタクト１２の可動ビーム状部材１２ｂに設けられた第１接触部１２ｂ４が、左右方向の外方側から接触・離間する配置関係になされている。すなわち、前述したように検査用プラグコネクタ（相手コネクタ）２０の非嵌合時である初期状態においては、第１コンタクト１２の弾性腕部１２ｂ３自身が有する弾性力によって第１接触部１２ｂ４が、第２コンタクト１３の接触部１３ｅに対して外方側から弾性的に当接し、電気的に接触した状態に維持されている。一方、検査用プラグコネクタ（相手コネクタ）２０が嵌合された際においては、第１コンタクト１２に設けられた一対の弾性腕部１２ｂ３，１２ｂ３同士が、互いに離間されるように弾性変位され、それによって、当該第１コンタクト１２に設けられた第１接触部１２ｂ４が、第２コンタクト１３の接触部１３ｅから外方側に向かって離間して電気的に非接触状態となる。
【００４５】
以上のように本実施形態にかかるスイッチ付同軸コネクタ１０によれば、第１コンタクト１２を構成している一対の弾性腕部１２ｂ３，１２ｂ３に設けられた両第１接触部１２ｂ４，１２ｂ４同士が、検査用プラグコネクタ（相手コネクタ）２０の非嵌合時である初期状態において、第２コンタクト１３の接触部１３ｅを挟んで対面するように接触している。この場合において、両弾性腕部１２ｂ３，１２ｂ３に生じている応力同士は、互いに打ち消し合うように作用することから、従来のような絶縁ハウジングに対する定常的な負荷（プリロード）がほとんど発生しなくなる。
【００４６】
また、検査用プラグコネクタ（相手コネクタ）２０の嵌合が行われた際においては、当該検査用プラグコネクタ（相手コネクタ）２０の嵌合力によって両コンタクト１２，１３同士が、嵌合方向と直交する平面内において両側に押し広げられるように弾性変位が行われる。その結果、両コンタクト１２，１３が、検査用プラグコネクタ（相手コネクタ）２０の嵌合力を直接的に受けることがなくなり、両コンタクト１２，１３同士を比較的小さな力で非接触状態にさせることが可能となる。従って、両コンタクト１２，１３同士の接触や、検査用プラグコネクタ（相手コネクタ）２０の嵌合に伴う応力や反力による絶縁ハウジング１１の変形又はクラック等の破損を生じるおそれが防止される。
【００４７】
さらに、第１コンタクト１２に設けられた第２接触部１２ｂ５が、検査用プラグコネクタ（相手コネクタ）２０のプローブ２０ａを挟むように電気的に接触されるため、外部からの衝撃や振動が付加された場合であっても、検査用プラグコネクタ（相手コネクタ）２０に対する第１コンタクト１２の電気的な接触信頼性が高められる。特に、本実施形態においては、複数設けられた第２接触部１２ｂ５が、片側二箇所から検査用プラグコネクタ（相手コネクタ）２０のプローブ２０ａに接触可能な構成になされているため、第１コンタクト１２の第２接触部１２ｂ５と、検査用プラグコネクタ（相手コネクタ）２０のプローブ２０ａとの間における電気的な接触信頼性が向上される。
【００４８】
加えて、本実施形態においては、弾性腕部１２ｂ３，１２ｂ３を有する可動ビーム状部材１２ｂが、湾曲状に反転するように延出する反転折返し部１２ｂ１を介して固定基部１２ａに連設され、反転折返し部１２ｂ１が、検査用プラグコネクタ（相手コネクタ）２０の嵌合方向（上下方向）において固定基部１２ａと重なり合うように配置されていることから、反転折返し部１２ｂ１が有する弾性によって、弾性腕部１２ｂ３，１２ｂ３が、検査用プラグコネクタ（相手コネクタ）２０の嵌合方向において弾性変位可能な状態となり、その反転折返し部１２ｂ１を中心として弾性腕部１２ｂ３，１２ｂ３が、検査用プラグコネクタ（相手コネクタ）２０の嵌合方向に弾性変位することによって、当該弾性腕部１２ｂ３，１２ｂ３の第１接触部１２ｂ４と第２コンタクト１３の接触部１３ｅとの間が擦れ合ことによる、いわゆるワイピング作用が得られ、接触領域が清浄に維持される。
【００４９】
［導電性シェルについて］
一方、上述した絶縁ハウジング１１の上面側表面には、薄板状の導電性部材からなる導電性シェル１４が上方側から覆うようにして装着されている。この導電性シェル１４は、絶縁ハウジング１１の上面側から挿入ガイド部１１ｂの外周面の一部を覆うように装着されているが、この導電性シェル１４が絶縁ハウジング１１の上面側表面を覆っている上面基板１４ａの中央部分には、上述した絶縁ハウジング１１の挿入ガイド部１１ｂを外方側から覆うグランド端子部１４ｂが略中空円筒状をなすようにして一体に設けられている。このグランド端子部１４ｂの外周表面には、円環状をなす固定係止溝１４ｃが凹設されており、その固定係止溝１４ｃに対して、前述した検査用プラグコネクタ（相手コネクタ）２０に設けられたグランドコンタクトの係合突部（図示省略）が嵌め込まれ、それによって双方がグランド接続状態になると共に、スイッチ付同軸コネクタ１０に検査用プラグコネクタ２０（相手コネクタ）が適宜の嵌合力で連結された状態に維持されるようになっている。
【００５０】
また、上述した導電性シェル１４の上面基板１４ａにおける四隅部分には、下方に向かって垂れ下がるように延在する基板接続部１４ｄがそれぞれ連設されている。それら４体の基板接続部１４ｄのうち、前述した可動コンタクト１２と固定コンタクト１３との対向方向に隣接する２体の基板接続部１４ｄ，１４ｄ同士は、底面部分において一体的に連結されていて、それら一体連結された一方側の基板接続部１４ｄ，１４ｄと、他方側の基板接続部１４ｄ，１４ｄとが、可動コンタクト１２と固定コンタクト１３とからなるコンタクト対を、左右方向の両側から挟むように配置されている。そして、それらの各基板接続部１４ｄの下端部分が、図示を省略した印刷配線基板上のグランド用導電路に半田接合されることによって、グランド接続が行われるとともに、スイッチ付同軸コネクタ１０の全体の保持が行われるようになっている。
【００５１】
以上、本発明者によってなされた発明を実施形態に基づき具体的に説明したが、本実施形態は上述した実施形態に限定されるものではなく、その要旨を逸脱しない範囲で種々変形可能であるというのはいうまでもない。
【００５２】
例えば、上述した実施形態では、反転折返し部１２ｂ１が、固定基部１２ａから上方向に延出する構成になされているが、固定基部１２ａから下方向に向かって延出する反転折返し部を設けるようにしても良い。
【００５３】
また、本発明は、上述した実施形態のような回路検査スイッチ以外の用途に用いられるスイッチ付同軸コネクタに対しても同様に適用可能である。
【産業上の利用可能性】
【００５４】
以上のように本発明は、各種電子・電気機器に使用される多種多様なスイッチ付同軸コネクタに対して広く適用することが可能である。
【符号の説明】
【００５５】
１０  スイッチ付同軸コネクタ
１１  絶縁ハウジング
１１ａ  ベース枠体部
１１ｂ  挿入ガイド部
１１ｃ  プローブ挿入穴（相手挿入穴）
１１ｄ  傾斜ガイド面
１１ｅ  コンタクト挿入通路
１２  第１コンタクト
１２ａ  固定基部
１２ａ１  固定延設片
１２ｂ  可動ビーム状部材
１２ｂ１  反転折返し部
１２ｂ２  ビーム支持部
１２ｂ３  弾性腕部
１２ｂ４  第１接触部
１２ｂ５  第２接触部
１２ｃ  基板接続部
１３  第２コンタクト
１３ａ  固定基部
１３ａ１  固定延設片
１３ｂ  基板接続部
１３ｃ  反転折返し部
１３ｄ  固定ビーム状部材
１３ｅ  接触部
１４  導電性シェル
１４ａ  上面基板
１４ｂ  グランド端子部
１４ｃ  固定係止溝
１４ｄ  基板接続部
２０  検査用プラグコネクタ（相手コネクタ）
２０ａ  プローブ
【図１】
2015207376.tif 000003
【図２】
2015207376.tif 000004
【図３】
2015207376.tif 000005
【図４】
2015207376.tif 000006
【図５】
2015207376.tif 000007
【図６】
2015207376.tif 000008
【図７】
2015207376.tif 000009
【図８】
2015207376.tif 000010
【図９】
2015207376.tif 000011
【図１０】
2015207376.tif 000012
【図１１】
2015207376.tif 000013
【図１２】
2015207376.tif 000014
【図１３】
2015207376.tif 000015
【図１４】
2015207376.tif 000016
【図１５】
2015207376.tif 000017